(57)【要約】【課題】回転式軸受の提供。【解決手段】座体、回転機構を具え、該座体が第１エレメントに組み付けられると共に接合部を具え、該接合部にネジ孔が開設されてネジ部品による接合部の緊締に供され、該回転機構は座体の接合部中に枢接され、且つ該回転機構と第２エレメントが相互に枢接され、該回転機構と座体の枢接と、ネジ部品による該接合部の緊締により、座体に組み付けられた第１エレメントと回転機構に組み付けられた第２エレメントが位置決めと相対回転の機能を達成する。【選択図】        図６
2004251419.tif 000002
【特許請求の範囲】
【請求項１】
回転式軸受において、
第１エレメントに組み付けられ、接合部を具え、該接合部にネジ部品による該接合部の緊締に供されるネジ孔が開設された座体と、
該座体の該接合部中に枢接され、第２エレメントに枢接される回転機構とを具え、
該回転機構と該座体が枢接され、該接合部におけるネジ部品の緊緩により、該座体に組み付けられた第１エレメントと回転機構に組み付けられた第２エレメントの位置決め及び相対回転時のきつさが調整されることを特徴とする、回転式軸受。
【請求項２】
請求項１に記載の回転式軸受において、接合部に凹口が設けられて、ネジ孔にねじ込まれるネジ部品の貫通に供されることを特徴とする、回転式軸受。
【請求項３】
請求項１に記載の回転式軸受において、接合部が二つの相互に対称で対向する円環体で組成されたことを特徴とする、回転式軸受。
【請求項４】
請求項１に記載の回転式軸受において、回転機構が、ストッパ板、連接体、枢接ロッドで組成され、且つストッパ板と枢接ロッドが連接体に組み付けられたことを特徴とする、回転式軸受。
【発明の詳細な説明】
【０００１】
【発明の属する技術分野】
本発明は一種の回転式軸受に係り、特に、座体、回転機構を具え、該座体が第１エレメントに組み付けられると共に接合部を具え、該接合部にネジ孔が開設されてネジ部品による接合部の緊締に供され、該回転機構が座体の接合部中に枢接され、且つ該回転機構と第２エレメントが相互に枢接された、回転式軸受に関する。
【０００２】
【従来の技術】
図１、２及び図３は周知の回転式軸受１を示し、図示されるように、それは、ストッパ板１１、回転シート１２、弾性片１３、底座１４を具え、該ストッパ板１１に貫通孔１１１が開設されて貫通孔１１１にネジ部品１５が通され、ストッパ板１１の周縁の一側にストッパ部１１２が設けられている。該回転シート１２にブロックロッド１２３が設けられ、該ブロックロッド１２３がストッパ板１１のストッパ部１１２と係合し、且つ該回転シート１２の両側にそれぞれ連接端１２１が設置され、これら連接端１２１に貫通孔１２２が開設されて前端にネジ部１６１が設けられた枢接ロッド１６が挿入されて該枢接ロッド１６のネジ部１６１にナット１７が螺合され、該枢接ロッド１６に連接部１６２が設けられ、該連接部１６２に貫通孔１６３が開設され且つ該貫通孔１６３が第２エレメント１８の組み付けに供される。該底座１４に貫通孔１４３が開設されて該貫通孔１４３が第１エレメント１９の組み付けに供され、該底座１４に中空円柱体１４１が設けられて該中空円柱体１４１に弾性片１３とワッシャ１３１が套設され、該中空円柱体１４１にネジ孔１４２が開設され且つネジ孔１４２がネジ部品１５による第１エレメント１９とのネジ止めに供される。
【０００３】
組立時には、ネジ部品１８２を枢接ロッド１６の貫通孔１６３に通して第２エレメント１８に開設されたネジ孔１８１にねじ込み、これにより枢接ロッド１６を第２エレメント１８にネジ止めし、さらにネジ部品１９２を底座１４の貫通孔１４３に通して第１エレメント１９に開設されたネジ孔１９１にねじ込み、これにより底座１４を第１エレメント１９にネジ止めする。弾性片１３とネジ部品１５の作用により、底座１４に組み付けられた第１エレメント１９と枢接ロッド１６に組付けられた第２エレメント１８の位置決め及び相対回転時の緊緩の程度を調整する。
【０００４】
上述の周知の回転式軸受１は、弾性片１３がその位置決め及び相対回転時のその緊緩の程度を制御する手段とされている。しかし、この弾性片１３は金属で形成され、このため変形を生じ易く、そのために弾性片１３の機能が低下するほか、弾性片１３の表面と回転シート１２、ワッシャ１３１、底座１４との相互摩擦により錆を発生しやすくこのために第１エレメント１９と第２エレメント１８を回転させにくくなる。
【０００５】
別に、特許文献１の「フラットディスプレイ装置及びその回転構造」により提供される物品は、フラットディスプレイ、コンピュータ、回転シート、枢軸、固定座及び一対の弾性手段を具え、該枢軸がフラットディスプレイの連接側に枢接されている。回転シートは枢軸でフラットディスプレイに枢接され、且つ回転シートに第１円柱体が形成され、第１円柱体外周両側に対向する二つの凹溝が設けられている。固定座はコンピュータに固定され、固定座に第２円柱体が形成され、該第２円柱体が貫通孔と二つの挿入溝を具え、該貫通孔が第２円柱体の中央部分に形成され、且つ貫通孔に回転シートが収容され、挿入溝も貫通孔に形成され、且つ二つの挿入溝が対向している。弾性手段にそれぞれフランジが設けられ、且つ二つの挿入溝内に収容されている。回転シートが固定座内で固定位置まで回転する時、凹溝がちょうどフランジに収容され、位置決め効果を形成する。
【０００６】
上述の弾性手段のフランジと回転シートの円周との摩擦により、回転シートは所定の値のトルクが加えられて始めて回転する。しかし、弾性手段のフランジと回転シートの円周との摩擦と同時に、弾性手段のフランジは圧迫された状態を呈し、回転シートが固定座内で固定位置まで回転して、凹溝がフランジに収容される時にだけ、該フランジがもとの状態に回復させられ、これにより該弾性手段は圧迫による弾性疲労を形成しやすく、このためその位置決め効果が弾性手段の弾性疲労により徐々に低下する。
【０００７】
且つ上述の二つの周知の回転構造は、その弾性片１３及び弾性手段が発生する変形或いは弾性疲労により使用不能となると、周囲は非常に難しく、且つ修理しても再び変形或いは弾性疲労を発生しうる。
【０００８】
【特許文献１】
台湾実用新案公告第４９５１３０号明細書
【０００９】
【発明が解決しようとする課題】
上述の従来の物品の発生する各欠点に対し、本発明はそれを改善した回転式軸受を提供する。
【００１０】
本発明の主要な目的は、第１エレメントと第２エレメントの相対回転時のトルクを調整できる軸受機構を提供することにある。
【００１１】
本発明の次の目的は、第１エレメントと第２エレメントを左右相対回転させられる軸受機構を提供することにある。
【００１２】
【課題を解決するための手段】
請求項１の発明は、回転式軸受において、
第１エレメントに組み付けられ、接合部を具え、該接合部にネジ部品による該接合部の緊締に供されるネジ孔が開設された座体と、
該座体の該接合部中に枢接され、第２エレメントに枢接される回転機構とを具え、
該回転機構と該座体が枢接され、該接合部におけるネジ部品の緊緩により、該座体に組み付けられた第１エレメントと回転機構に組み付けられた第２エレメントの位置決め及び相対回転時のきつさが調整されることを特徴とする、回転式軸受としている。
請求項２の発明は、請求項１に記載の回転式軸受において、接合部に凹口が設けられて、ネジ孔にねじ込まれるネジ部品の貫通に供されることを特徴とする、回転式軸受としている。
請求項３の発明は、請求項１に記載の回転式軸受において、接合部が二つの相互に対称で対向する円環体で組成されたことを特徴とする、回転式軸受としている。
請求項４の発明は、請求項１に記載の回転式軸受において、回転機構が、ストッパ板、連接体、枢接ロッドで組成され、且つストッパ板と枢接ロッドが連接体に組み付けられたことを特徴とする、回転式軸受としている。
【００１３】
【発明の実施の形態】
図４、５、６、７及び図８に示されるように、本発明は座体２１と回転機構２２を具え、該座体２１は第１エレメント２３に組み付けられ、且つ該座体２１に接合部２１１が設けられ、該接合部２１１が二つの相互に対称で且つ対向する円環体で組成され、該接合部２１１に凹口２１２、ネジ孔２１３が設けられてネジ部品による接合部２１１の緊迫に供される。且つ座体２１に収容貫通孔２１４が設けられ、該収容貫通孔２１４に収容貫通孔２１４より大径の円凹口２１５が同心の関係を以て連設され、該円凹口２１５と収容貫通孔２１４の直径の差により形成される肩部に貫通孔２１５ａが形成され、該貫通孔２１５ａにストッパロッド２１６が挿着される。
【００１４】
該回転機構２２はストッパ板２２１、連接体２２２、枢接ロッド２２３で組成され、該ストッパ板２２１にネジ孔２２１ａが開設され該ネジ孔２２１ａにネジ部品２６がねじ込まれ、該ストッパ板２２１の一側に水平に突出する凸塊２２１ｂが設けられ、該ストッパ板２２１が座体２１の円凹口２１５に組み付けられる時、該凸塊２２１ｂがストッパロッド２１６に当接可能とされ、該枢接ロッド２２３はそれぞれ連接体２２２に固定され、且つ該枢接ロッド２２３が第２エレメント２４に枢接される。
【００１５】
組立時には、枢接ロッド２２３を固定した連接体２２２を座体２１の収容貫通孔２１４内に置き、さらにストッパ板２２１を座体２１の円凹口２１５内に置き、ネジ部品２６を連接体２２２に開設されたネジ孔２２２ａとストッパ板２２１のネジ孔２２１ａ内にねじ込み、これにより枢接ロッド２２３を固定した連接体２２２とストッパ板２２１とを該座体２１に組み付け、ストッパロッド２１６を座体２１に貫通孔２１５ａ内に挿着し、さらにネジ部品２５をネジ孔２１３にねじ込み、且つ該枢接ロッド２２３を第２エレメント２４に枢接する。
【００１６】
図９も参照されたい。図示されるように、ネジ部品２５で接合部２１１を緊締する時、該接合部２１１にあって間隙２１１ａの縮小により収容貫通孔２１４が縮小し、これにより収容貫通孔２１４内に組み付けられた連接体２２２と収容貫通孔２１４が緊合する。
【００１７】
図１０も参照されたい。図示されるように、ネジ部品２５を回して接合部２１１の緊締を緩めると、該接合部２１１において、間隙２１１ａがもとの状態に回復することにより収容貫通孔２１４も、もとの状態に回復し、これと同時に収容貫通孔２１４内に組み付けられた連接体２２２と収容貫通孔２１４の間の結合が緩められる。
【００１８】
これにより、もし枢接ロッド２２３に組み付けられた第２エレメント２４と座体２１に組み付けられた第１エレメント２３の回転のきつさを調整したい時は、ネジ部品２５の緊緩により調整できる。且つネジ部品２５の緊緩調整の後、座体２１に組み付けられた第１エレメント２３と枢接ロッド２２３に組み付けられた第２エレメント２４はストッパ板２２１の凸塊２２１ｂにストッパロッド２１６が突き当たるまでの任意の角度で位置決めさせられる（図１１及び図１２参照。これらは第１エレメント２３と第２エレメント２４の左右相対回転の立体図である。）。
【００１９】
【発明の効果】
ゆえに、本発明の回転式軸受２は第１エレメント２３と第２エレメント２４に左右相対回転を行わせられるだけでなく、第１エレメント２３と第２エレメント２４の相対回転時のきつさを調節でき、且つ周知の回転構造と比較すると、本発明は周知の構造における、弾性片１３及び弾性機構に発生する変形或いは弾性疲労による使用不能となる問題、及び修理が非常に難しいという問題を有効に解決している。
【００２０】
ゆえに、本発明の提供する回転式軸受は、特許の要件に符合する。なお、以上の説明は本発明の実施範囲を限定するものではなく、本発明に基づきなしうる細部の修飾或いは改変は、いずれも本発明の請求範囲に属するものとする。
【図面の簡単な説明】
【図１】周知の物品の立体分解図である。
【図２】周知の物品の立体組合せ図である。
【図３】周知の物品を第１エレメントと第２エレメントに組み付ける立体分解図である。
【図４】本発明の立体分解図である。
【図５】本発明の立体組合せ図である。
【図６】本発明の底面視による立体分解図である。
【図７】本発明の底面視による立体組合せ図である。
【図８】本発明の第１エレメントと第２エレメントへの組み付けを示す立体組合せ図である。
【図９】図４のＡ−Ａ断面による操作表示図である。
【図１０】図４のＡ−Ａ断面による操作表示図である。
【図１１】本発明を第１エレメントと第２エレメントに組み付けた立体組合せ操作表示図である。
【図１２】本発明を第１エレメントと第２エレメントに組み付けた立体組合せ操作表示図である。
【符号の説明】
１  回転式軸受          １１  ストッパ板        １１１  貫通孔
１１２  ストッパ部      １２  回転シート        １２１  連接端
１２２  貫通孔          １２３  ブロックロッド  １３  弾性片
１３１  ワッシャ        １４  底座              １４１  中空円柱体
１４２  ネジ孔          １４３  貫通孔          １５  ネジ部品
１６  枢接ロッド        １６１  ネジ部          １６２  連接部
１６３  貫通孔          １７  ナット            １８  第２エレメント
１８１  ネジ孔          １８２  ネジ部品        １９  第１エレメント
１９１  ネジ孔          １９２  ネジ部品        ２  回転式軸受
２１  座体              ２１１  接合部          ２１１ａ  間隙
２１２  凹口            ２１３  ネジ孔          ２１４  収容貫通孔
２１５  円凹口          ２１５ａ  貫通孔      ２１６  ストッパロッド
２２  回転機構          ２２１ｂ  凸塊          ２２２  連接体
２２２ａ  ネジ孔        ２２３  枢接ロッド
２３  第１エレメント    ２４  第２エレメント    ２５  ネジ部品
２６  ネジ部品
【図１】
2004251419.tif 000003
【図２】
2004251419.tif 000004
【図３】
2004251419.tif 000005
【図４】
2004251419.tif 000006
【図５】
2004251419.tif 000007
【図６】
2004251419.tif 000008
【図７】
2004251419.tif 000009
【図８】
2004251419.tif 000010
【図９】
2004251419.tif 000011
【図１０】
2004251419.tif 000012
【図１１】
2004251419.tif 000013
【図１２】
2004251419.tif 000014